(57)【要約】【課題】基板への配置スペースを小さくして小型化を図ることができ、且つコネクタキャップを不要として筐体の剛性低下を回避し得、又、落下の衝撃をコネクタユニットに伝わりにくくしてその破損を防止することができ、更に又、部品点数並びに組付工数削減とコストダウンを図ることができ、デザイン的にも統一感を持った仕様とし得るコネクタ構造及び該コネクタ構造を備えた端末装置を提供する。【解決手段】端末装置本体１の背面側に、該端末装置本体１にスライド自在に取り付けられたバッテリカバー８により開閉可能となるようコネクタユニット用開口６を形成すると共に、該コネクタユニット用開口６の内側に、前記バッテリカバー８をスライドさせてコネクタユニット用開口６を開放した状態で端末装置本体１の厚み方向へプラグ９が接続されるコネクタユニット４を配設する。【選択図】図１
2006042163.tif 000002
【特許請求の範囲】
【請求項１】
端末装置本体の背面側に、該端末装置本体にスライド自在に取り付けられたバッテリカバーにより開閉可能となるようコネクタユニット用開口を形成すると共に、該コネクタユニット用開口の内側に、前記バッテリカバーをスライドさせてコネクタユニット用開口を開放した状態で端末装置本体の厚み方向へプラグが接続されるコネクタユニットを配設したことを特徴とするコネクタ構造。
【請求項２】
バッテリカバーをスライドさせることによって開放されていく側における端末装置本体の背面側にコネクタユニット用開口を配置すると共に、端末装置本体とバッテリカバーとの間に、該バッテリカバーをスライドさせた際にバッテリが露出せずにコネクタユニット用開口のみが開放された位置で前記バッテリカバーを係止可能な係止手段を設けたことを特徴とする請求項１記載のコネクタ構造。
【請求項３】
前記バッテリカバーを閉じる場合には、端末装置本体の背面側縁部所要箇所に形成された一方の係止溝部に対して、バッテリカバーの縁部における対応箇所に突設された一方の爪部が係合し、且つ端末装置本体の背面側縁部所要箇所に形成された他方の係止溝部から、バッテリカバーの縁部における対応箇所に突設された他方の爪部が離脱する状態となり、又、前記バッテリカバーをスライドさせた際にバッテリが露出せずにコネクタユニット用開口のみが開放される位置では、前記他方の爪部が他方の係止溝部に係合し、且つ前記一方の爪部が一方の係止溝部から離脱する状態となるよう、前記係止手段を構成したことを特徴とする請求項２記載のコネクタ構造。
【請求項４】
前記端末装置本体の背面側縁部所要箇所における両方の係止溝部の間に、前記両方の爪部を挿脱可能な挿脱用凹部を形成し、前記バッテリカバーを完全に取り外す際には、両方の爪部を挿脱用凹部の位置に合致させて引き抜けるよう、前記係止手段を構成したことを特徴とする請求項３記載のコネクタ構造。
【請求項５】
請求項１〜４いずれかに記載のコネクタ構造を備えたことを特徴とする端末装置。
【請求項６】
第一の筐体と第二の筐体とをヒンジモジュールを介して開閉自在に連結することにより端末装置本体を構成し、該端末装置本体のバッテリが内蔵される一方の筐体内部におけるヒンジモジュール側の端部、及び／又は反ヒンジモジュール側の端部に、内蔵アンテナを配置したことを特徴とする請求項５記載の端末装置。 
【発明の詳細な説明】
【技術分野】
【０００１】
本発明は、端末装置本体に設けられたコネクタ構造及び該コネクタ構造を備えた携帯電話機やＰＨＳ等の移動通信機といった端末装置に関するものである。
【背景技術】
【０００２】
一般に、携帯電話機やＰＨＳ等の移動通信機といった端末装置では、その端末装置本体の所要箇所に形成されたコネクタユニット用開口の内側に、充電用のプラグや他の情報端末と電子情報等の授受を行うためのプラグが接続されるコネクタユニットが配設され、該コネクタユニットを介してバッテリーへの充電や他の情報端末と電子情報等の授受が行われるようになっている。
【０００３】
図５は折畳式の携帯電話機等の端末装置の一例を示すものであって、１は端末装置本体、２は端末装置本体１を形成する筐体であり、折畳式の端末装置は、端末装置本体１を形成する筐体２を第一の筐体としての上部筐体２ａと第二の筐体としての下部筐体２ｂとに分割し、それらをヒンジモジュール３を介して開閉可能となるよう互いに回動自在に連結してなる構成を有している。尚、通常、前記上部筐体２ａには、液晶ディスプレイ（ＬＣＤ：Liquid Crystal Display）等の表示器が設けられる一方、前記下部筐体２ｂには、多数のキーが配置され且つバッテリーが内蔵されている。
【０００４】
前述の如き携帯電話機等の端末装置の場合、図６に示される如く、コネクタユニット４は、端末装置本体１の下部筐体２ｂに内蔵される基板５の下側（反ヒンジモジュール３側）に設けられており、前記下部筐体２ｂの対応位置に形成されたコネクタユニット用開口６には、コネクタユニット４を保護するためのコネクタキャップ７が取り付けられ、コネクタユニット４を使用しない場合には、コネクタユニット用開口６をコネクタキャップ７で閉止することにより、コネクタユニット４を外部に露出させないようになっている。
【０００５】
又、前記コネクタユニット４を、図７に示される如く、端末装置本体１の下部筐体２ｂに内蔵される基板５の上側（ヒンジモジュール３側）に設けると共に、前記下部筐体２ｂの対応位置に形成されたコネクタユニット用開口６に、コネクタユニット４を保護するためのコネクタキャップ７を取り付けるようにしたり、或いは、前記コネクタユニット４を、図８に示される如く、端末装置本体１の下部筐体２ｂに内蔵される基板５の左右一方の側（図８の例では右側）に設けると共に、前記下部筐体２ｂの対応位置に形成されたコネクタユニット用開口６に、コネクタユニット４を保護するためのコネクタキャップ７を取り付けるようにしたものもある。
【０００６】
尚、図６に示されるようなコネクタ構造を備えた端末装置を示すものとしては、例えば、特許文献１がある。
【特許文献１】特開２００３−１２５０４６号公報
【発明の開示】
【発明が解決しようとする課題】
【０００７】
しかしながら、図６、図７、及び図８に示されるようなコネクタ構造を備えた端末装置においてはいずれも、コネクタユニット４が基板５の外周所要箇所にその平面に沿うよう寝かせられる形で突設されているため、平面的に大きなスペースを必要とする一方、筐体２に形成されるコネクタユニット用開口６には、コネクタキャップ７を組み込むための切欠部を余分に設けねばならず、筐体２の剛性低下につながるという欠点を有していた。
【０００８】
又、コネクタユニット４はコネクタキャップ７によって保護されているものの、端末装置を落してしまったような場合には、落下の衝撃がコネクタユニット４に伝わりやすく、破損する虞があった。
【０００９】
更に又、コネクタキャップ７の材質としては、例えば、常温でゴム状の弾性を有する高分子物質であるエラストマやポリプロピレン樹脂等の弾性部材が用いられているが、このような弾性部材で形成されるコネクタキャップ７を材質の異なる筐体２に対して組み付けるための調整や色合せ等に関する調整を行う必要があり、部品点数並びに組付工数が増加することに加え、コストアップにもつながる一方、デザイン的にも筐体２と異なる材質のコネクタキャップ７に違和感が生じることが避けられなくなるという問題があった。
【００１０】
本発明は、斯かる実情に鑑み、基板への配置スペースを小さくして小型化を図ることができ、且つコネクタキャップを不要として筐体の剛性低下を回避し得、又、落下の衝撃をコネクタユニットに伝わりにくくしてその破損を防止することができ、更に又、部品点数並びに組付工数削減とコストダウンを図ることができ、デザイン的にも統一感を持った仕様とし得るコネクタ構造及び該コネクタ構造を備えた端末装置を提供しようとするものである。
【課題を解決するための手段】
【００１１】
本発明は、端末装置本体の背面側に、該端末装置本体にスライド自在に取り付けられたバッテリカバーにより開閉可能となるようコネクタユニット用開口を形成すると共に、該コネクタユニット用開口の内側に、前記バッテリカバーをスライドさせてコネクタユニット用開口を開放した状態で端末装置本体の厚み方向へプラグが接続されるコネクタユニットを配設したことを特徴とするコネクタ構造にかかるものである。
【００１２】
上記手段によれば、以下のような作用が得られる。
【００１３】
コネクタユニットを使用しないときには、バッテリカバーによってコネクタユニット用開口は閉じた状態に保持されており、コネクタユニットを使用するときには、バッテリカバーをスライドさせてコネクタユニット用開口を開放した状態で、コネクタユニットに対し端末装置本体の厚み方向へプラグが接続される。
【００１４】
即ち、コネクタユニットは、従来のように基板の外周所要箇所にその平面に沿うよう寝かせられる形で突設されるのではなく、基板の背面側にその平面に対して略直角に立てる形で取り付けられるため、平面的に大きなスペースを必要としなくなる一方、バッテリカバーがコネクタキャップを兼ね、該コネクタキャップが不要となるため、筐体に形成されるコネクタユニット用開口には、コネクタキャップを組み込むための切欠部を余分に設けなくて済み、筐体の剛性が低下する心配もない。
【００１５】
又、コネクタユニットは、端末装置本体の背面側にバッテリカバーによって保護される形で配置されるため、端末装置を落してしまったような場合にも、落下の衝撃がコネクタユニットに伝わりにくくなり、破損を防ぐことが可能となる。
【００１６】
更に又、従来のように、エラストマやポリプロピレン樹脂等の弾性部材で形成されるコネクタキャップを材質の異なる筐体に対して組み付けなくて済むため、コネクタキャップの組み付けのための調整や色合せ等に関する調整を行う必要がなくなり、部品点数並びに組付工数が削減可能となることに加え、コストダウンが可能となる一方、デザイン的にも違和感が生じることが避けられることとなる。
【００１７】
前記コネクタ構造においては、バッテリカバーをスライドさせることによって開放されていく側における端末装置本体の背面側にコネクタユニット用開口を配置すると共に、端末装置本体とバッテリカバーとの間に、該バッテリカバーをスライドさせた際にバッテリが露出せずにコネクタユニット用開口のみが開放された位置で前記バッテリカバーを係止可能な係止手段を設けることが好ましく、このようにすると、コネクタユニットを使用するときに、バッテリカバーをスライドさせた場合、係止手段によって、バッテリが露出せずにコネクタユニット用開口のみが開放された位置で前記バッテリカバーを係止可能となるため、コネクタユニットに対しプラグの接続が円滑に行えることとなる。
【００１８】
ここで、前記バッテリカバーを閉じる場合には、端末装置本体の背面側縁部所要箇所に形成された一方の係止溝部に対して、バッテリカバーの縁部における対応箇所に突設された一方の爪部が係合し、且つ端末装置本体の背面側縁部所要箇所に形成された他方の係止溝部から、バッテリカバーの縁部における対応箇所に突設された他方の爪部が離脱する状態となり、又、前記バッテリカバーをスライドさせた際にバッテリが露出せずにコネクタユニット用開口のみが開放される位置では、前記他方の爪部が他方の係止溝部に係合し、且つ前記一方の爪部が一方の係止溝部から離脱する状態となるよう、前記係止手段を構成することが有効となる。
【００１９】
更に、前記端末装置本体の背面側縁部所要箇所における両方の係止溝部の間に、前記両方の爪部を挿脱可能な挿脱用凹部を形成し、前記バッテリカバーを完全に取り外す際には、両方の爪部を挿脱用凹部の位置に合致させて引き抜けるよう、前記係止手段を構成することが望ましい。
【００２０】
又、本発明は、前述のいずれか一つに記載のコネクタ構造を備えたことを特徴とする端末装置にかかるものである。
【００２１】
前記端末装置においては、第一の筐体と第二の筐体とをヒンジモジュールを介して開閉自在に連結することにより端末装置本体を構成し、該端末装置本体のバッテリが内蔵される一方の筐体内部におけるヒンジモジュール側の端部、及び／又は反ヒンジモジュール側の端部に、内蔵アンテナを配置することができる。前記端末装置本体のバッテリが内蔵される一方の筐体内部におけるヒンジモジュール側の端部、及び／又は反ヒンジモジュール側の端部は、今後主流となりつつある内蔵アンテナを配置する上で、その性能面並びに人体への影響等を考慮した場合に好ましい箇所であるが、従来においては、コネクタユニットが存在するために内蔵アンテナの配置が困難となっていた箇所である。しかし、本発明のコネクタ構造を備えた端末装置では、コネクタユニットとの干渉を気にすることなく、前記端末装置本体のバッテリが内蔵される一方の筐体内部におけるヒンジモジュール側の端部、及び／又は反ヒンジモジュール側の端部に、内蔵アンテナを配置することが可能となるため、電波受信感度を高める上でも非常に有効となる。
【発明の効果】
【００２２】
本発明のコネクタ構造及び該コネクタ構造を備えた端末装置によれば、基板への配置スペースを小さくして小型化を図ることができ、且つコネクタキャップを不要として筐体の剛性低下を回避し得、又、落下の衝撃をコネクタユニットに伝わりにくくしてその破損を防止することができ、更に又、部品点数並びに組付工数削減とコストダウンを図ることができ、デザイン的にも統一感を持った仕様とし得るという優れた効果を奏し得る。
【００２３】
更に、本発明のコネクタ構造を備えた端末装置によれば、内蔵アンテナの配置箇所の制約をなくすことができ、電波受信感度を高めることができる効果もある。
【発明を実施するための最良の形態】
【００２４】
以下、本発明の実施の形態を添付図面を参照して説明する。
【００２５】
図１〜図４は本発明を実施する形態の一例であって、図中、図５〜図８と同一の符号を付した部分は同一物を表わしており、端末装置本体１のバッテリ１０が内蔵される下部筐体２ｂの背面側に、該端末装置本体１の下部筐体２ｂにスライド自在に取り付けられたバッテリカバー８により開閉可能となるようコネクタユニット用開口６を形成すると共に、該コネクタユニット用開口６の内側に、前記バッテリカバー８をスライドさせてコネクタユニット用開口６を開放した状態で端末装置本体１の下部筐体２ｂの厚み方向へプラグ９が接続されるコネクタユニット４を配設したものである。
【００２６】
本図示例の場合、バッテリカバー８をスライドさせることによって開放されていく側における端末装置本体１の下部筐体２ｂ背面側にコネクタユニット用開口６を配置すると共に、端末装置本体１の下部筐体２ｂとバッテリカバー８との間に、該バッテリカバー８をスライドさせた際にバッテリ１０が露出せずにコネクタユニット用開口６のみが開放された位置で前記バッテリカバー８を係止可能な係止手段１１を設けるようにしてある。
【００２７】
前記係止手段１１は、図３に示す如く、端末装置本体１の下部筐体２ｂ背面側縁部所要箇所（図３の例では片側に二箇所で、図示を省略しているもう片側を合わせて合計四箇所）にそれぞれ、挿脱用凹部１１ａと係止溝部１１ｂ，１１ｃを形成すると共に、バッテリカバー８の縁部における対応箇所に、前記挿脱用凹部１１ａから挿入可能で且つ係止溝部１１ｂ，１１ｃと係合可能な爪部１１ｄ，１１ｅを突設してなる構成を有しており、バッテリカバー８を閉じる場合には、一方の爪部１１ｄが一方の係止溝部１１ｂに係合し、且つ他方の爪部１１ｅが他方の係止溝部１１ｃから離脱する状態となり、又、バッテリカバー８をスライドさせた際にバッテリ１０が露出せずにコネクタユニット用開口６のみが開放される位置では、他方の爪部１１ｅが他方の係止溝部１１ｃに係合し、且つ一方の爪部１１ｄが一方の係止溝部１１ｂから離脱する状態となり、更に又、バッテリ１０の交換等のためにバッテリカバー８を完全に取り外す際には、両方の爪部１１ｄ，１１ｅを挿脱用凹部１１ａの位置に合致させて引き抜くことができるようにしてある。
【００２８】
又、本図示例の場合、図４に示す如く、端末装置本体１のバッテリ１０が内蔵される下部筐体２ｂ内部における下端部、即ち反ヒンジモジュール３側の端部に、内蔵アンテナ１２を配置するようにしてある。尚、端末装置本体１のバッテリ１０が内蔵される下部筐体２ｂ内部における上端部、即ちヒンジモジュール３側の端部に、内蔵アンテナ１２を配置することも可能である。
【００２９】
次に、上記図示例の作用を説明する。
【００３０】
コネクタユニット４を使用しないときには、図１（ａ）及び図２（ａ）に示す如く、バッテリカバー８によってコネクタユニット用開口６は閉じた状態に保持されており、コネクタユニット４を使用するときには、図１（ｂ）及び図２（ｂ）に示す如く、バッテリカバー８をスライドさせてコネクタユニット用開口６を開放した状態で、図１（ｃ）及び図２（ｃ）に示す如く、コネクタユニット４に対し端末装置本体１の下部筐体２ｂの厚み方向へプラグ９が接続される。
【００３１】
即ち、コネクタユニット４は、従来のように基板５の外周所要箇所にその平面に沿うよう寝かせられる形で突設されるのではなく、基板５の背面側にその平面に対して略直角に立てる形で取り付けられるため、平面的に大きなスペースを必要としなくなる一方、バッテリカバー８がコネクタキャップ７（図６〜図８参照）を兼ね、該コネクタキャップ７が不要となるため、筐体２に形成されるコネクタユニット用開口６には、コネクタキャップ７を組み込むための切欠部を余分に設けなくて済み、筐体２の剛性が低下する心配もない。
【００３２】
又、コネクタユニット４は、端末装置本体１の下部筐体２ｂ背面側にバッテリカバー８によって保護される形で配置されるため、端末装置を落してしまったような場合にも、落下の衝撃がコネクタユニット４に伝わりにくくなり、破損を防ぐことが可能となる。
【００３３】
更に又、従来のように、エラストマやポリプロピレン樹脂等の弾性部材で形成されるコネクタキャップ７（図６〜図８参照）を材質の異なる筐体２に対して組み付けなくて済むため、コネクタキャップ７の組み付けのための調整や色合せ等に関する調整を行う必要がなくなり、部品点数並びに組付工数が削減可能となることに加え、コストダウンが可能となる一方、デザイン的にも違和感が生じることが避けられることとなる。
【００３４】
本図示例においては、図１（ｂ）及び図２（ｂ）に示す如く、バッテリカバー８をスライドさせることによって開放されていく側における端末装置本体１の下部筐体２ｂ背面側にコネクタユニット用開口６を配置すると共に、端末装置本体１の下部筐体２ｂとバッテリカバー８との間に、図３に示す如く、該バッテリカバー８をスライドさせた際にバッテリ１０が露出せずにコネクタユニット用開口６のみが開放された位置で前記バッテリカバー８を係止可能な係止手段１１を設けるようにしてあるため、コネクタユニット４を使用するときに、バッテリカバー８をスライドさせた場合、係止手段１１によって、バッテリ１０が露出せずにコネクタユニット用開口６のみが開放された位置で前記バッテリカバー８を係止可能となるため、コネクタユニット４に対しプラグ９の接続が円滑に行えることとなる。
【００３５】
又、端末装置本体１のバッテリ１０が内蔵される下部筐体２ｂ内部における下端部即ち反ヒンジモジュール３側の端部、及び／又は端末装置本体１のバッテリ１０が内蔵される下部筐体２ｂ内部における上端部即ちヒンジモジュール３側の端部は、今後主流となりつつある内蔵アンテナ１２を配置する上で、その性能面並びに人体への影響等を考慮した場合に好ましい箇所であるが、従来においては、コネクタユニット４が存在するために内蔵アンテナ１２の配置が困難となっていた箇所である。しかし、本図示例の場合、図４に示す如く、コネクタユニット４との干渉を気にすることなく、前記端末装置本体１のバッテリ１０が内蔵される下部筐体２ｂ内部における下端部即ち反ヒンジモジュール３側の端部、及び／又は端末装置本体１のバッテリ１０が内蔵される下部筐体２ｂ内部における上端部即ちヒンジモジュール３側の端部に、内蔵アンテナ１２を配置することが可能となるため、電波受信感度を高める上でも非常に有効となる。
【００３６】
こうして、基板５への配置スペースを小さくして小型化を図ることができ、且つコネクタキャップ７を不要として筐体２の剛性低下を回避し得、又、落下の衝撃をコネクタユニット４に伝わりにくくしてその破損を防止することができ、更に又、部品点数並びに組付工数削減とコストダウンを図ることができ、デザイン的にも統一感を持った仕様とし得る。
【００３７】
更に、内蔵アンテナの配置箇所の制約をなくすことができ、電波受信感度を高めることができる効果もある。
【００３８】
尚、本発明のコネクタ構造及び該コネクタ構造を備えた端末装置は、上述の図示例にのみ限定されるものではなく、端末装置本体１の上部筐体２ａと下部筐体２ｂとを屈曲させる形で折り畳むホルダータイプの携帯電話機に限らず、端末装置本体１の上部筐体２ａと下部筐体２ｂとをその面に直交する方向の軸を中心に回動させる形で折り畳むリボルバータイプの携帯電話機にも適用可能なこと等、その他、本発明の要旨を逸脱しない範囲内において種々変更を加え得ることは勿論である。
【図面の簡単な説明】
【００３９】
【図１】本発明を実施する形態の一例を示す斜視図であって、（ａ）はバッテリカバーを閉じた状態を示す図、（ｂ）はバッテリカバーをスライドさせてコネクタユニット用開口を開放した状態を示す図、（ｃ）はコネクタユニットにプラグを接続した状態を示す図である。
【図２】本発明を実施する形態の一例を示す側断面図であって、（ａ）はバッテリカバーを閉じた状態を示す図、（ｂ）はバッテリカバーをスライドさせてコネクタユニット用開口を開放した状態を示す図、（ｃ）はコネクタユニットにプラグを接続した状態を示す図である。
【図３】本発明を実施する形態の一例におけるバッテリカバーの係止手段を示す説明図である。
【図４】本発明を実施する形態の一例における内蔵アンテナを示す側断面図である。
【図５】折畳式の携帯電話機等の端末装置の一例を示す斜視図である。
【図６】従来におけるコネクタユニットの配置位置の一例を、筐体とそれに内蔵される基板とを分けて示す斜視図である。
【図７】従来におけるコネクタユニットの配置位置の他の例を、筐体とそれに内蔵される基板とを分けて示す斜視図である。
【図８】従来におけるコネクタユニットの配置位置の更に他の例を、筐体とそれに内蔵される基板とを分けて示す斜視図である。
【符号の説明】
【００４０】
１    端末装置本体
２    筐体
２ａ  上部筐体（第一の筐体）
２ｂ  下部筐体（第二の筐体）
３    ヒンジモジュール
４    コネクタユニット
６    コネクタユニット用開口
８    バッテリカバー
９    プラグ
１０    バッテリ
１１    係止手段
１１ａ  挿脱用凹部
１１ｂ  係止溝部
１１ｃ  係止溝部
１１ｄ  爪部
１１ｅ  爪部
１２    内蔵アンテナ
【図１】
2006042163.tif 000003
【図２】
2006042163.tif 000004
【図３】
2006042163.tif 000005
【図４】
2006042163.tif 000006
【図５】
2006042163.tif 000007
【図６】
2006042163.tif 000008
【図７】
2006042163.tif 000009
【図８】
2006042163.tif 000010